(57)【要約】      （修正有）【課題】手洗い行為における使い勝手の良さを損なわずに、歯ブラシのような小さいサイズの物体を使用者が手に持っているときでも確実に吐止水を行うことで、節水と使い勝手が両立できる自動水栓を提供する。【解決手段】水を吐水する水栓本体４と、前記水栓本体４を挟んで両側に配置され、各々の物体検知領域１０，１２の一部が、水栓本体４からの吐水方向で重なるように設けられた２つの物体検知センサ６、８と、水栓本体４からの吐止水を切り替える電磁弁と、２つの物体検知センサ６、８の検知状態に基づいて電磁弁を駆動する制御部とを備えた自動水栓において、制御部は、前記２つの物体検知センサが共に物体を検知している状態が第一所定時間継続すると吐水を開始する第一吐水モードと、２つの物体検知センサのうち何れか１つのみが物体を検知している状態が第一所定時間より長い第二所定時間継続した場合に吐水を開始する第二吐水モードとを備えている。【選択図】図１
2012067537.tif 000002
【特許請求の範囲】
【請求項１】
水を吐水する水栓本体と、
前記水栓本体を挟んで両側に配置され、各々の物体検知領域の一部が、前記水栓本体からの吐水方向で重なるように設けられた２つの物体検知センサと、
前記水栓本体からの吐水、止水を切り替える電磁弁と、
前記２つの物体検知センサの検知状態に基づいて前記電磁弁を駆動する制御部とを備えた自動水栓において、
前記制御部は、前記２つの物体検知センサが共に物体を検知している状態が第一所定時間継続すると吐水を開始するように前記電磁弁を駆動する第一吐水モードと、前記２つの物体検知センサのうち何れか１つのみが前記物体を検知している状態が前記第一所定時間より長い第二所定時間継続した場合に吐水を開始するように前記電磁弁を駆動する第二吐水モードとを備えていることを特徴とする自動水栓。
【請求項２】
請求項１記載の自動水栓において、前記制御部は、前記第一吐水モードで吐水中に、前記２つの物体検知センサが共に前記物体を検知していない状態が第三所定時間継続すると止水するように前記電磁弁を駆動し、前記第二吐水モードで吐水中に、前記２つの物体検知センサが共に前記物体を検知していない状態が前記第三所定時間より長い第四所定時間継続すると止水するように前記電磁弁を駆動することを特徴とする自動水栓。
【請求項３】
請求項１記載の自動水栓において、前記制御部は、前記２つの物体検知センサのうち何れか１つのみが前記物体を検知している第一検知状態から、前記２つの物体検知センサが共に前記物体を検知している第二検知状態に遷移した場合は、前記第一検知状態の継続時間と前記第二検知状態の継続時間を足し合わせた継続時間が前記第一所定時間に達したときに吐水を開始するように前記電磁弁を駆動することを特徴とする自動水栓。
【請求項４】
請求項２記載の自動水栓において、前記制御部は、前記２つの物体検知センサが共に前記物体を検知している状態から、前記２つの物体検知センサのうち何れか１つのみが前記物体を検知している第三検知状態に遷移した後に、前記２つの物体検知センサが共に前記物体を検知していない第四検知状態に遷移した場合は、前記第三検知状態の継続時間と前記第四検知状態の継続時間を足し合わせた継続時間が前記第三所定時間に達したときに止水するように前記電磁弁を駆動することを特徴とする自動水栓。
【発明の詳細な説明】
【技術分野】
【０００１】
本発明は、自動水栓に関し、具体的には手などの物体を検知するセンサの検知状況に基づいて吐水及び止水を自動的に行う自動水栓に関する発明である。 
【背景技術】
【０００２】
従来、吐水口の下方に手等を差し出すと自動で吐水する自動水栓として特許文献１が知られている。
特許文献１記載の自動水栓では、各々の光の照射範囲が重なるように複数の発光素子が配置されており、各発光素子からの光が共に被検知物によって反射したことを検出したときに被検知物を検知するものであることを特徴としている。
こうすることで、複数の発光素子による光の照射範囲が重なっている部分だけが被検知物の検知領域となるので、誤検知による吐水を防止することができるとしている。
【先行技術文献】
【特許文献】
【０００３】
【特許文献１】特開２００４−９２２１９号
【発明の概要】
【発明が解決しようとする課題】
【０００４】
しかしながら、特許文献１記載の自動水栓では、複数の発光素子による光の照射範囲が重なっている部分だけが被検知物の検知領域となるために以下のような課題があった。
【０００５】
検知領域を吐水方向に設定した場合、手洗い行為では吐水方向に差し出した手を検知できるので吐水を問題無く開始することができる。しかしながら、手に持った歯ブラシを洗うための歯ブラシ洗い行為では吐水方向にはサイズの小さい歯ブラシが差し出されることになり、歯ブラシからは十分な光の反射量が得られないために歯ブラシを検知できず、吐水が開始されなかった。
【０００６】
本発明は、上記課題を解決するためになされたもので、本発明の課題は、手洗い行為における使い勝手の良さを損なわずに、歯ブラシのような小さいサイズの物体を使用者が手に持っているときでも確実に吐止水を行うことで、節水と使い勝手が両立できる自動水栓を提供することにある。
【課題を解決するための手段】
【０００７】
上記目的を達成するために請求項１記載の発明によれば、水を吐水する水栓本体と、前記水栓本体を挟んで両側に配置され、各々の物体検知領域の一部が、前記水栓本体からの吐水方向で重なるように設けられた２つの物体検知センサと、前記水栓本体からの吐水、止水を切り替える電磁弁と、前記２つの物体検知センサの検知状態に基づいて前記電磁弁を駆動する制御部とを備えた自動水栓において、前記制御部は、前記２つの物体検知センサが共に物体を検知している状態が第一所定時間継続すると吐水を開始するように前記電磁弁を駆動する第一吐水モードと、前記２つの物体検知センサのうち何れか１つのみが前記物体を検知している状態が前記第一所定時間より長い第二所定時間継続した場合に吐水を開始するように前記電磁弁を駆動する第二吐水モードとを備えていることを特徴とする。
【０００８】
これにより、使用者が手を直接吐水方向に差し出す手洗い行為では、２つの物体検知センサが共に手を検知することができるので、その場合は短時間で吐水を開始することで使い勝手が良くなる。
また、使用者が手に持った歯ブラシを吐水方向に差し出す歯ブラシ洗い行為では、どちらか一方の物体検知センサが歯ブラシを持った手を検知して、その検知状態が手洗い行為時よりも長い時間継続すれば吐水を開始することになるので、使用者が洗面台の周辺物を取ろうとした際に、使用者の手がいずれか一方の検知領域を不意に横切ってしまったときの誤吐水を防止できると共に、歯ブラシのような小さいサイズの物体を使用者が手に持っているときでも確実に吐水を開始することができるので、使い勝手がよくなる。
【０００９】
また、請求項２記載の発明によれば、前記制御部は、前記第一吐水モードで吐水中に、前記２つの物体検知センサが共に前記物体を検知していない状態が第三所定時間継続すると止水するように前記電磁弁を駆動し、前記第二吐水モードで吐水中に、前記２つの物体検知センサが共に前記物体を検知していない状態が前記第三所定時間より長い第四所定時間継続すると止水するように前記電磁弁を駆動することを特徴とする。
【００１０】
これにより、手洗い行為では、２つの物体検知センサが共に手を検知しなくなると短時間で止水するので、無駄水の使用を防止することができる。
また、歯ブラシ洗い行為では、２つの物体検知センサが共に手を検知しない状態が手洗い行為よりも長い時間継続すれば止水することになるので、使用者が歯ブラシを洗っている最中に、歯ブラシを持つ手が一時的に検知領域から外れてしまっても吐水を継続することができるので、使い勝手がよくなる。
【００１１】
また、請求項３記載の発明によれば、前記制御部は、前記２つの物体検知センサのうち何れか１つのみが前記物体を検知している第一検知状態から、前記２つの物体検知センサが共に前記物体を検知している第二検知状態に遷移した場合は、前記第一検知状態の継続時間と前記第二検知状態の継続時間を足し合わせた継続時間が前記第一所定時間に達したときに吐水を開始するように前記電磁弁を駆動することを特徴とする。
【００１２】
これにより、手洗い行為において、時間差で両手を差し出した場合でも、短時間で吐水を開始することができるので使い勝手がよくなる。
【００１３】
また、請求項４記載の発明によれば、前記制御部は、前記２つの物体検知センサが共に前記物体を検知している状態から、前記２つの物体検知センサのうち何れか１つのみが前記物体を検知している第三検知状態に遷移した後に、前記２つの物体検知センサが共に前記物体を検知していない第四検知状態に遷移した場合は、前記第三検知状態の継続時間と前記第四検知状態の継続時間を足し合わせた継続時間が前記第三所定時間に達したときに止水するように前記電磁弁を駆動することを特徴とする。
【００１４】
これにより、手洗い行為において、時間差で両手を引き抜いた場合でも、短時間で止水することができるので、無駄水の使用を防止することができる。
【発明の効果】
【００１５】
本発明によれば、節水と使い勝手を両立する自動水栓を提供することができる。
【図面の簡単な説明】
【００１６】
【図１】本発明の第１の実施形態にかかる自動水栓を例示する模式図である。
【図２】第１の実施形態にかかる自動水栓を例示するブロック図である。
【図３】第１の実施形態にかかる自動水栓のタイムチャートである。
【図４】第１の実施形態にかかる、手洗い行為時における使用者の手と検知領域の位置関係を例示する模式図である。
【図５】第１の実施形態にかかる、歯ブラシ洗い行為時における使用者の手と歯ブラシと検知領域の位置関係を例示する模式図である。
【図６】第２の実施形態にかかる自動水栓のタイムチャートである。
【発明を実施するための形態】
【００１７】
以下、本発明の実施の形態について図面を参照しつつ説明する。なお、各図面中、同様の構成要素には同一の符号を付して詳細な説明は適宜省略する。
【００１８】
（第１の実施形態）
図１は、本発明の第１の実施形態にかかる自動水栓を例示する模式図である。
また、図２は、本実施形態にかかる自動水栓を例示するブロック図である。
【００１９】
図１に示すように、洗面台１に本発明の実施形態である自動水栓２が設置されている。自動水栓２には、水栓本体４を両側から挟み込むようにして第１物体検知センサ６と第２物体検知センサ８が配置されており、この２つの物体検知センサにより手などの物体を検知して、水栓本体４からの水（水としては適温に加熱された湯水も含む）の吐水、止水を切り替えるように構成されている。
なお、本実施形態の自動水栓２は、洗面台１以外にも、例えばキッチンといった吐水が必要な場所に設置することができる。
【００２０】
図２に示すように、自動水栓２は、給水源２８と、水栓本体４と、第１物体検知センサ６と、第２物体検知センサ８と、電磁弁２６と、２つの物体検知センサからの検知信号に応じて電磁弁２６を制御する制御部２４とを有している。給水源２８からは水又は湯水が供給されており、給水ホース５２と給水ホース５３に接続された電磁弁２６を経由して水栓本体４の吐水口３０から水又は湯水が吐水される。
【００２１】
第１物体検知センサ６は、吐水口３０近傍に差し出される使用者の手などを検知するように、第１検知領域１０を持っている。第１物体検知センサ６は、水栓本体４の一方の側に水栓本体４から所定間隔をおいて配置されている。
第２物体検知センサ８も同様に、吐水口３０近傍に差し出される使用者の手などを検知するように、第２検知領域１２を持っている。第２物体検知センサ８は、水栓本体４に対して、第１物体検知センサ６とは反対側に配置されている。
【００２２】
第１検知領域１０と第２検知領域１２は、吐水口３０の吐水方向において重なり合い、重複検知領域１４を構成している。
重複検知領域１４は、第１検知領域１０及び第２検知領域１２が重なり合う領域であって、三次元的に広がっている。図１には、第１検知領域１０及び第２検知領域１２の領域が、第１物体検知センサ６及び第２物体検知センサ８を含み左右方向に広がる一定の断面で切断した図の領域として、概念的に示されている。
【００２３】
また、重複検知領域１４の水平方向外側には、第１検知領域１０及び第２検知領域１２が重複せず、第１物体検知センサ６のみが物体を検知する第１単独検知領域１５ａと、第２物体検知センサ８のみが人体を検知する第２単独検知領域１５ｂとが形成されている。
【００２４】
なお、２つの物体検知センサは、例えば赤外線の投光素子と受光素子とを有した反射式積分型センサなどと呼ばれるセンサである。但し、センサの種類はこれに限られるわけではなく、適宜変更してもよい。
【００２５】
第１物体検知センサ６の投光素子１６から投光された光は、例えばボウル部４３や使用者の手などによって反射され、この反射光を受光素子１８が受光する。第１物体検知センサ６は、受光素子１８が受光した反射レベルを、予め設定されたしきい値と比較して、しきい値以上であれば物体有りと判断して、しきい値未満であれば物体無しと判断して、その検知結果を電気信号として配線５８を通して制御部２４に出力する。
【００２６】
第２物体検知センサ８も、前述した第１物体検知センサ６と同様に動作する。
すなわち、第２物体検知センサ８の投光素子２０から投光された光は、例えばボウル部４３や使用者の手などによって反射され、この反射光を受光素子２２が受光する。第２物体検知センサ８は、受光素子２２が受光した反射レベルを、予め設定されたしきい値と比較して、しきい値以上であれば物体有りと判断して、しきい値未満であれば物体無しと判断して、その検知結果を電気信号として配線５６を通して制御部２４に出力する。
【００２７】
なお、２つの物体検知センサの各投光素子は、所定の投光軸線方向に赤外線を投光するように構成されており、赤外線の強度は、この投光軸から外れるに従って低下する。本実施形態においては、投光軸線上の赤外線の強度が、半分に低下する、投光軸線を中心軸とする略円錐形状に広がる領域が、各物体検知センサの検知領域として機能している。また、検知領域は、投光素子の指向性や、受光素子が受光した反射光を、人体等の検知と判定するしきい値などによって変更することができる。
【００２８】
制御部２４は、洗面台１の下部に設けられており、２つの物体検知センサと、電磁弁２６とは電気信号を伝送するそれぞれの配線５８と、配線５６と、配線５５とによって接続されており、２つの物体検知センサから入力された検知信号に基づいて、電磁弁２６を開閉制御する。なお、制御部２４は、マイクロプロセッサ、メモリ、及びこれらを作動させるプログラム等（以上図示せず）により構成することができる。
【００２９】
以下、本実施形態の具体例について図面を参照しつつ説明する。
図３は、本実施形態の具体例にかかる自動水栓のタイムチャートである。
図３に示すように、第１物体検知センサ６と第２物体検知センサ８が共に物体を検知している状態が第一所定時間（０．１秒）継続すると、制御部２４は電磁弁２６を開駆動して吐水を開始する（時刻Ｔ１０から時刻Ｔ１１）。これを第一吐水モードと呼ぶ。そして、第１物体検知センサ６と第２物体検知センサ８が共に物体を検知しない状態が第三所定時間（０．１秒）継続すると、制御部２４は電磁弁２６を閉駆動して止水する（時刻Ｔ１２から時刻Ｔ１３）。本実施形態では、これら２つの所定時間を共に０．１秒としている。
【００３０】
これらの所定時間は、２つの物体検知センサからの信号を太陽光や蛍光灯といった外乱ノイズと判別するために制御部２４が必要とする最短の処理時間として設定しており、２つの物体検知センサの性能や制御部２４の性能に応じて適宜変更してもよい。
【００３１】
以上で説明した一連の動作は、例えば、使用者の手洗い行為を想定している。
図４は、手洗い行為時における使用者の手と検知領域の位置関係を例示する模式図である。
【００３２】
つまり、図３の時刻Ｔ１０においては、使用者が手洗い行為を開始するために、吐水口３０の吐水方向に形成されている重複検知領域１４に両手を差し出したことを表しており、この場合は、時刻Ｔ１１の時点で迅速に吐水を開始する。これにより、使用者は手洗い行為において、ストレスを感じることなく手洗い行為を開始することができる。
【００３３】
また、図３の時刻Ｔ１２においては、使用者が手洗い行為を終了するために、第１検知領域１０と第２検知領域１２とが形成する検知領域から両手を引き抜いたことを表しており、この場合は、時刻Ｔ１３の時点で迅速に止水する。これにより、使用者は手洗い行為において無駄水を浪費することがないので、ストレスを感じることなく手洗い行為を終了することができる。
【００３４】
続いて、図３のタイムチャートに戻り、手洗い行為終了以降（時刻Ｔ１３以降）の説明をする。
図３に示すように、第１物体検知センサ６のみが物体を検知する状態が第二所定時間（０．５秒）継続すると、制御部２４は電磁弁２６を開駆動して吐水を開始する（時刻Ｔ１４から時刻Ｔ１５）。これを第二吐水モードと呼ぶ。そして、第１物体検知センサ６と第２物体検知センサ８が共に物体を検知しない状態が第四所定時間（０．５秒）継続すると、制御部２４は電磁弁２６を閉駆動して止水する（時刻Ｔ１６から時刻Ｔ１７）。
【００３５】
以上説明した一連の動作は、例えば、使用者の歯ブラシ洗い行為を想定している。
図５は、歯ブラシ洗い行為時における使用者の手（右手４１と左手４０）と歯ブラシ４２と検知領域の位置関係を例示する模式図である。
【００３６】
つまり、図３の時刻Ｔ１４においては、使用者が歯ブラシ洗い行為を開始するために、吐水口３０の吐水方向に形成されている重複検知領域１４に右手４１に持った歯ブラシ４２を差し出したことを表している。このとき、歯ブラシ４２自体は重複検知領域１４に入っていて、歯ブラシ４２を持った右手４１は第１単独検知領域１５ａに入っている。通常、使用者は歯ブラシ４２の柄の部分を持つために、このような位置関係となる。歯ブラシ４２は重複検知領域１４に入ってはいるが、歯ブラシ４２は手に比べてサイズが小さいために十分な光の反射量を得ることができず、２つの物体検知センサは歯ブラシ４２を検知することができない。
【００３７】
この場合、制御部２４は、重複検知領域１４で物体（本実施形態では歯ブラシ４２）を検知できなくても、第１単独検知領域１５ａで物体（本実施形態では歯ブラシ４２を持った右手４１）の検知を所定時間以上継続すれば、この状態を歯ブラシ洗い行為と判断して吐水を開始する。本実施形態では、この所定時間を０．５秒としている。
【００３８】
この所定時間は、使用者が洗面台１の周辺物を取ろうとした際に、使用者の手がいずれか一方の物体検知センサの検知領域を不意に横切ってしまう時間よりも長い時間であり、且つ、使用者が明確な意思を持って検知領域に手を差し出していることを判別するための時間である。この所定時間の長さは、洗面台１の形状や物品の収納状況、配置状況などに応じて適宜変更してもよい。
これにより、歯ブラシ洗い行為における吐水を開始することができる。
【００３９】
また、図３の時刻Ｔ１６においては、使用者が歯ブラシ行為を終了するために、歯ブラシ４２を持った右手４１を第１単独検知領域１５ａから引き抜いたことを表しており、この状態が所定時間継続した時刻Ｔ１７の時点で吐水を終了している。本実施形態では、この所定時間を０．５秒と設定している。
【００４０】
この所定時間は、使用者が歯ブラシ４２を洗っている最中は歯ブラシ４２を持つ右手４１の動きが大きいことから、歯ブラシ４２を持つ右手４１が不意に第１検知領域１０から一時的に外れてしまっても吐水を継続するためのディレイ時間である。この所定時間の長さは、洗面台１の形状や物品の収納状況、配置状況などに応じて適宜変更してもよい。
【００４１】
以上より、使用者が手を直接吐水方向に差し出す手洗い行為では、２つの物体検知センサが共に手を検知することができるので、その場合は短時間で吐水を開始することで使い勝手が良くなる。
【００４２】
また、使用者が手に持った歯ブラシ４２を吐水方向に差し出す歯ブラシ洗い行為では、どちらか一方の物体検知センサが歯ブラシ４２を持った手を検知して、その検知状態が手洗い行為時よりも長い時間継続すれば吐水を開始することになるので、使用者が洗面台１の周辺物を取ろうとした際に、使用者の手がいずれか一方の検知領域を不意に横切ってしまったときの誤吐水を防止できると共に、歯ブラシ４２のような小さいサイズの物体を使用者が手に持っているときでも確実に吐水を開始することができる。
【００４３】
更に、手洗い行為では、２つの物体検知センサが共に手を検知しなくなると短時間で止水するので、無駄水の使用を防止することができる。
【００４４】
また、歯ブラシ洗い行為では、２つの物体検知センサが共に手を検知しない状態が手洗い行為よりも長い時間継続すれば止水することになるので、使用者が歯ブラシ４２を洗っている最中に、歯ブラシ４２を持つ手が一時的に検知領域から外れてしまっても吐水を継続することができるので、使い勝手がよくなる。
【００４５】
なお、本実施形態では、歯ブラシ洗い行為において、使用者が歯ブラシ４２を右手４１に持った場合についての説明を行ったが、歯ブラシ４２を持つ手が左手４０に変わっても、歯ブラシ４２を持つ手を検出するセンサが第２物体検知センサ８に変わるだけで、その他の制御は前述した内容と同様であるので、その説明は省略する。
【００４６】
（第２の実施形態）
図６は、本発明の第２の実施形態にかかる具体例を示す自動水栓のタイムチャートである。
本実施形態は、前述した第１の実施形態に追加される内容である。そのため、ここでは第１の実施形態で説明した内容は省略して、新たに追加する実施形態の内容のみ説明を行う。
【００４７】
図６に示すように、第１物体検知センサ６のみが物体を検知する状態（第一検知状態）が最初に発生し（時刻Ｔ２０）、その後に第２物体検知センサ８も物体を検知する状態（第二検知状態）が発生したとき（時刻Ｔ２１）、その状態が時刻Ｔ２０から第一所定時間（０．１秒）継続すると、制御部２４は電磁弁２６を開駆動して吐水を開始する（時刻Ｔ２２）。
そして、第２物体検知センサ８のみが物体を検知しない状態（第三検知状態）になり（時刻Ｔ２３）、その後に第１物体検知センサ６も物体を検知しない状態（第四検知状態）が発生したとき（時刻Ｔ２４）、その状態が時刻Ｔ２３から第三所定時間（０．１秒）継続すると、制御部２４は電磁弁２６を閉駆動して止水する（時刻Ｔ２５）。
【００４８】
以上で説明した一連の動作は、第１の実施形態で説明した使用者の手洗い行為とは別パターンの手洗い行為を想定している。より具体的には、両手を差し出す際と引き抜く際に時間差が発生した場合である。
【００４９】
つまり、図６において、使用者は手洗い行為を開始するにあたって、まず時刻Ｔ２０で第１検知領域１０に右手４１を差し出し、その後に時間差で、時刻Ｔ２１で第２検知領域１２に左手４０を差し出したということである。この場合は、最初に右手４１を検知した時点からの継続時間が０．１秒に達した時点の時刻Ｔ２２で迅速に吐水を開始する。これにより、使用者は手洗い行為において、時間差で両手を差し出した場合でも、ストレスを感じることなく手洗い行為を開始することができる。
【００５０】
また、図６の時刻Ｔ２３においては、使用者が手洗い行為を終了するために、第２検知領域１２にあった左手４０を引き抜き、その後に時間差で、時刻Ｔ２４で第１検知領域１０にあった右手４１を引き抜いたということである。この場合は、最初に左手４０を検知しなくなった時点からの継続時間が０．１秒に達した時点の時刻Ｔ２５で迅速に止水する。これにより、使用者は手洗い行為において、時間差で両手を差し出した場合でも、無駄水を浪費することがないので、ストレスを感じることなく手洗い行為を終了することができる。
【００５１】
本実施形態で２つの所定時間を共に０．１秒としている点については、第１の実施形態で説明した内容と同様であるのでその説明は省略する。
【００５２】
これにより、手洗い行為において、時間差で両手を差し出した場合でも、短時間で吐水を開始することができるので使い勝手がよくなる。
また、時間差で両手を引き抜いた場合でも、短時間で止水することができるので、無駄水の使用を防止することができる。
【００５３】
なお、本実施形態では、手洗い行為において、最初に右手４１を検知してその後に左手４０を検知した場合についての説明を行ったが、最初に左手４０を検知してその後に右手４１を検知した場合についても、２つの物体検知センサの検知する順番が入れ替わるだけで、その他の制御は前述した内容と同様であるので、その説明は省略する。
【００５４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【００５５】
例えば、洗面台１や自動水栓２などが備える各要素の形状、寸法、材質、配置などや物体検知センサの設置形態などは、例示したものに限定されるわけではなく適宜変更することができる。
更に例えば、物体検知センサを赤外線方式とすれば、その検出原理から黒色のコップや透明のコップを使用者が手に持っている場合も歯ブラシと同様に物体検知センサはそれらを検知できない。しかしながら、本発明の実施の形態で説明した歯ブラシ洗い行為時と同様の制御をすることで、黒色のコップや透明のコップを使用者が手に持っていても、確実に吐止水をすることが可能である。
【００５６】
また、前述した各実施の形態が備える各要素は、技術的に可能な限りにおいて組み合わせることができ、これらを組み合わせたものも本発明の特徴を含む限り本発明の範囲に包含される。
【符号の説明】
【００５７】
１…洗面台
２…自動水栓
４…水栓本体
６…第１物体検知センサ
８…第２物体検知センサ
１０…第１検知領域
１２…第２検知領域
１４…重複検知領域
１５ａ…第１単独検知領域
１５ｂ…第２単独検知領域
１６…投光素子
１８…受光素子
２０…投光素子
２２…受光素子
２４…制御部
２６…電磁弁
２８…給水源
３０…吐水口
４０…左手
４１…右手
４２…歯ブラシ
４３…ボウル部
５２…給水ホース
５３…給水ホース
５５…配線
５６…配線
５８…配線
【図１】
2012067537.tif 000003
【図２】
2012067537.tif 000004
【図３】
2012067537.tif 000005
【図４】
2012067537.tif 000006
【図５】
2012067537.tif 000007
【図６】
2012067537.tif 000008